(57)【特許請求の範囲】
【請求項１】
キャビネットの多数の通音孔を有するスピーカー取付部に、位置決め壁と立上り片とがスピーカーの口径に合わせて突設されると共に、該立上り片の内周面先端に係止爪が一体形成されており、その位置決め壁及び立上り片間にスピーカーを配置して、該スピーカーに前記係止爪を係合させるようにしたスピーカー取付装置において、前記位置決め壁と係止爪とが省略され、前記立上り片がスピーカーの口径に合わせて周方向所定間隔をおいて複数突設されると共に、該各立上り片の内側面先端に、前記係止爪に代えて内向きにわずかに膨らむ円弧状膨らみ部が一体形成され、前記スピーカー取付部の肉厚を薄くすることにより、該スピーカー取付部が弾性変形可能に形成され、前記キャビネットの立上り片より外側にスピーカー取付部を取り囲むようにして環状の薄肉部が形成されていることを特徴とするスピーカー取付装置。
【請求項２】
キャビネットの多数の通音孔を有するスピーカー取付部に、位置決め壁と立上り片とがスピーカーの口径に合わせて突設されると共に、該立上り片の内周面先端に係止爪が一体形成されており、その位置決め壁及び立上り片間にスピーカーを配置して、該スピーカーに前記係止爪を係合させるようにしたスピーカー取付装置において、前記位置決め壁と係止爪とが省略され、前記キャビネットのスピーカー取付部よりも外側の周辺に多数の通音孔を貫設することにより、該スピーカー取付部が弾性変形可能に形成されており、そのスピーカー取付部を弾性変形させて間隔を広げた立上り片間にスピーカーを差し込むようにしたことを特徴とするスピーカー取付装置。
【請求項３】
前記スピーカー取付部の肉厚を薄くすることにより、該スピーカー取付部が弾性変形可能に形成されていることを特徴とする請求項２記載のスピーカー取付装置。
【請求項４】
前記キャビネットの立上り片より外側にスピーカー取付部を取り囲むようにして環状の薄肉部が形成されていることを特徴とする請求項２または３に記載のスピーカー取付装置。
【請求項５】
前記立上り片の内側面先端に、内向きにわずかに膨らむ円弧状膨らみ部が一体形成されていることを特徴とする請求項２から４のいずれかに記載のスピーカー取付装置。
【発明の詳細な説明】
【０００１】
【発明の属する技術分野】
本発明は、例えばテレビジョン一体型ＤＶＤ（Ｄｉｇｉｔａｌ  Ｖｅｒｓａｔｉｌ  Ｄｉｓｃ）などのキャビネットにスピーカーを安価な構造で確実に取り付けることができるようにしたスピーカー取付装置に関する。
【０００２】
【従来の技術】
例えばテレビジョン一体型ＤＶＤの一例として図１１に示すものがある。これは、フロントパネル１Ａとリアパネル１Ｂとからなる合成樹脂製キャビネット１内にテレビジョン受像機２とＤＶＤプレーヤー本体３とが配置され、フロントパネル１Ａの上部にテレビジョン受像機２用開口部４が開設されると共に、該フロントパネル１Ａの下部に開閉ドア５付きＤＶＤプレーヤー本体３用開口部６が開設され、フロントパネル１Ａの下部の開口部６の両側に多数の通音孔７を有するスピーカー取付部１ａが形成され、該スピーカー取付部１ａの裏面にスピーカーＳを取り付けるためのスピーカー取付装置８が設けられている。
【０００３】
従来、前記スピーカー取付装置８としては実開平１−７７０８７号公報に記載したものがある。これは、図１２及び図１３に示すように、スピーカーＳの口径ｄに合わせてスピーカー取付部１ａの裏面に一体突設した一対の立上り片１０とその両立上り片１０間に一体突設した円弧状位置決め壁１１とからなり、各立上り片１０の内周面先端に内向きに所定間隔Ｈ（例えば２ｍｍ程度）だけ突出する係止爪１０ａが一体形成されている。
【０００４】
前記ピーカーＳをスピーカー取付部１ａに取り付ける場合には、スピーカーＳの外周縁を各係止爪１０ａに押し付けて各立上り片１０を外向きに弾性変形させることにより、該スピーカーＳを位置決め壁１１及び立上り片１０間に押し込み、これによって、スピーカーＳの外周縁に各係止爪１０ａを係合させる。
【０００５】
係止爪１０ａ付き立上り片１０を合成樹脂により一体成形する場合には、図１４（ａ）に示すように、複数の金型１２ａ〜１２ｃと、先端突起部１３ａから基端部までの間隔ｅが長尺（例えば６００ｍｍ）の傾斜ピン１３との間の空隙内に合成樹脂を充填し、その合成樹脂の固化後、図１４（ｂ）に示すように、金型１２ａ，１２ｂを取り外すと共に、傾斜ピン１３を支軸１４を中心に矢印ｆ方向に揺動させて、その先端突起部１３ａを係止爪１０ａから離間させる。
【０００６】
【発明が解決しようとする課題】
上記従来の構成では、係止爪１０ａ付き立上り片１０を合成樹脂により一体成形する場合に、その係止爪１０ａの長さＨが大きいため、特殊形状の傾斜ピン１３を必要とし、金型構造が極めて複雑になって、製作費が高くつく。
【０００７】
そこで、図１３に仮想線で示すように、スピーカー取付部１ａの係止爪１０ａに対向する部分に、該係止爪１０ａよりも若干大きい抜き孔１６を貫設し、その抜き孔１６に挿通した金型により係止爪１０ａを形成することが考えられるが、これでは、スピーカー取付部１ａに比較的大きい抜き孔１６が残って外観上の体裁が悪くなる。
【０００８】
また、前記スピーカー取付部１ａに多数の通音孔７を貫設することにより、該スピーカー取付部１ａの強度が低下しており、その強度低下を防ぐために、位置決め壁１１や補強材（図示せず）でスピーカー取付部１ａを補強しているが、実際問題として、補強の必要性は低い。
【０００９】
本発明は、上記従来の問題点に鑑みて、スピーカー取付部の強度低下を効果的に利用して外観上の体裁が良好で安価にスピーカーを取り付けることができるようにしたスピーカー取付装置を提供することを目的としている。
【００１０】
【課題を解決するための手段】
上記目的を達成するため、請求項１記載の発明は、キャビネットの多数の通音孔を有するスピーカー取付部に、位置決め壁と立上り片とがスピーカーの口径に合わせて突設されると共に、該立上り片の内周面先端に係止爪が一体形成されており、その位置決め壁及び立上り片間にスピーカーを配置して、該スピーカーに前記係止爪を係合させるようにしたスピーカー取付装置において、前記位置決め壁と係止爪とが省略され、前記立上り片がスピーカーの口径に合わせて周方向所定間隔をおいて複数突設されると共に、該各立上り片の内側面先端に、前記係止爪に代えて内向きにわずかに膨らむ円弧状膨らみ部が一体形成され、前記スピーカー取付部の肉厚を薄くすることにより、該スピーカー取付部が弾性変形可能に形成され、前記キャビネットの立上り片より外側にスピーカー取付部を取り囲むようにして環状の薄肉部が形成されていることを特徴としている。
【００１１】
上記構成によれば、係止爪が省略されているから、立上り片を合成樹脂により成形する際に、前記係止爪を形成するために従来必要とされていた特殊形状の傾斜ピンが不要であり、これによって、金型構造が簡単になり、製作費を安くすることができ、また、スピーカー取付部の係止爪に対向する部分に、該係止爪よりも若干大きい抜き孔を貫設する必要もないから、外観上の体裁が良好である。
【００１２】
更に、弾性変形を阻害する位置決め壁が省略され、スピーカー取付部の肉厚を薄くすると共に、立上り片より外側にスピーカー取付部を取り囲むようにして環状の薄肉部が形成されており、従来のようにスピーカー取付部の強度を大きくするのではなく、その強度低下を効果的に利用して、スピーカー取付部を弾性変形させるようになっているから、そのスピーカー取付部を押圧して容易に弾性変形させることができ、その弾性変形により間隔を広げた立上り片間にスピーカーを差し込むだけで、そのスピーカーをスピーカー取付部に簡単に取り付けることができると共に、その取り付けたスピーカーによりスピーカー取付部を補強して強度低下を阻止することができる。
【００１３】
しかも、スピーカーの口径に合わせて周方向所定間隔をおいて突設された複数の立上り片によりスピーカーを弾性的に確実に挟持することができると共に、該各立上り片の内側面先端に一体形成した膨らみ部によりその立上り片間に差し込んだスピーカーを不測に外れないように確実に係止することができる。
【００１４】
請求項２記載の発明は、キャビネットの多数の通音孔を有するスピーカー取付部に、位置決め壁と立上り片とがスピーカーの口径に合わせて突設されると共に、該立上り片の内周面先端に係止爪が一体形成されており、その位置決め壁及び立上り片間にスピーカーを配置して、該スピーカーに前記係止爪を係合させるようにしたスピーカー取付装置において、前記位置決め壁と係止爪とが省略され、前記キャビネットのスピーカー取付部よりも外側の周辺に多数の通音孔を貫設することにより、該スピーカー取付部が弾性変形可能に形成されており、そのスピーカー取付部を弾性変形させて間隔を広げた立上り片間にスピーカーを差し込むようにしたことを特徴としている。
【００１５】
上記構成によれば、係止爪が省略されているから、立上り片を合成樹脂により成形する際に、前記係止爪を形成するために従来必要とされていた特殊形状の傾斜ピンが不要であり、これによって、金型構造が簡単になり、製作費を安くすることができ、また、スピーカー取付部の係止爪に対向する部分に、該係止爪よりも若干大きい抜き孔を貫設する必要もないから、外観上の体裁が良好である。
【００１６】
更に、弾性変形を阻害する位置決め壁が省略され、従来のようにスピーカー取付部の強度を大きくするのではなく、スピーカー取付部だけでなくその外側まで多数の通音孔を貫設することにより、該スピーカー取付部の全体が弾性変形可能に形成されているので、そのスピーカー取付部を押圧して弾性変形させることにより、立上り片間の間隔を容易に広げてスピーカーを確実に差し込むことができる。
【００１７】
要するに、スピーカー取付部の強度低下を効果的に利用して、スピーカー取付部を弾性変形させるようになっているから、その弾性変形により間隔を広げた立上り片間にスピーカーを差し込むだけで、そのスピーカーをスピーカー取付部に簡単に取り付けることができると共に、その取り付けたスピーカーによりスピーカー取付部を補強して強度低下を阻止することができる。
【００１８】
請求項３記載の発明は、請求項２記載の発明において、前記スピーカー取付部の肉厚を薄くすることにより、該スピーカー取付部が弾性変形可能に形成されていることを特徴としている。
【００１９】
上記構成によれば、スピーカー取付部の肉厚を薄くすることにより、該スピーカー取付部が弾性変形可能に形成されているので、そのスピーカー取付部を押圧して弾性変形させることにより、立上り片間の間隔を容易に広げてスピーカーを確実に差し込むことができる。
【００２０】
請求項４記載の発明は、請求項２または３に記載の発明において、前記キャビネットの立上り片より外側にスピーカー取付部を取り囲むようにして環状の薄肉部が形成されていることを特徴としている。
【００２１】
上記構成によれば、立上り片より外側にスピーカー取付部を取り囲むようにして環状の薄肉部が形成されているので、該スピーカー取付部を一層容易に弾性変形させて、立上り片間の間隔を広げることができる。
【００２２】
請求項５記載の発明は、請求項２から４のいずれかに記載の発明において、前記立上り片の内側面先端に、内向きにわずかに膨らむ円弧状膨らみ部が一体形成されていることを特徴としている。
【００２３】
上記構成によれば、立上り片の内側面先端に一体形成した膨らみ部により該立上り片間に差し込んだスピーカーを不測に外れないように確実に係止することができる。
【００２４】
【発明の実施の形態】
図１は本発明の第１の実施の形態であるスピーカー取付装置８を設けたテレビジョン一体型ＤＶＤを示すものであって、図２及び図３に示すように、従来の位置決め壁１１（図１３参照）が省略され、立上り片１０がスピーカーＳの口径ｄに合わせて周方向に所定間隔をおいて多数突設され、該各立上り片１０の内側面先端に、従来の係止爪１０ａ（図１２参照）に代えて内向きにわずかの間隔ｈ（例えば０．５ｍｍ程度）だけ膨らむ円弧状膨らみ部１０Ａが一体形成され、キャビネット１のスピーカー取付部１ａ内に多数の通音孔７ａを貫設すると共に、該スピーカー取付部１ａよりも外側の周辺に多数の通音孔７ｂを貫設することにより、そのスピーカー取付部１ａが弾性変形可能に形成されている。
【００２５】
前記スピーカーＳをスピーカー取付部１ａに取り付ける場合には、図１及び図４に示すように、スピーカー取付部１ａを外側から一方の手で押圧Ｐすることにより、該スピーカー取付部１ａを弾性変形させて立上り片１０間の間隔を広げ（図４実線参照）、他方の手でつかんだスピーカーＳを立上り片１０間に差し込み、押圧Ｐを解除するだけでよい（図４仮想線参照）。
【００２６】
膨らみ部１０Ａ付き立上り片１０を合成樹脂により一体成形する場合には、図５（ａ）に示すように、複数の金型１２ａ〜１２ｃ間の空隙内に合成樹脂を充填し、その合成樹脂の固化後、図５（ｂ）に示すように、金型１２ａ，１２ｂを取り外すだけでよい。このとき、金型１２ｂの内面に膨らみ部１０Ａ用凹部１８が形成されているが、その凹部１８の深さｈが小さいから、金型１２ｂを強制的に引っ張るだけで、膨らみ部１０Ａを損傷させることなく、その金型１２ｂを膨らみ部１０Ａ付き立上り片１０から引き離すことができる。
【００２７】
上記構成によれば、係止爪１０ａが省略されているから、立上り片１０を合成樹脂により成形する際に、前記係止爪１０ａを形成するために従来必要とされていた特殊形状の傾斜ピン（図１４参照）が不要であり、これによって、金型構造が簡単になり、製作費を安くすることができ、また、スピーカー取付部１ａの係止爪１０ａに対向する部分に、該係止爪１０ａよりも若干大きい抜き孔１６（図１３仮想線参照）を貫設する必要もないから、外観上の体裁が良好である。
【００２８】
更に、弾性変形を阻害する位置決め壁１１（図１３参照）が省略され、スピーカー取付部１ａに通音孔７ａを貫設するだけでなくその外側まで通音孔７ｂを貫設しており、従来のようにスピーカー取付部１ａの強度を大きくするのではなく、その強度低下を効果的に利用して、スピーカー取付部１ａを弾性変形させるようになっているから、そのスピーカー取付部１ａを押圧Ｐして容易に弾性変形させることができ、その弾性変形により間隔を広げた立上り片１０間にスピーカーＳを差し込むだけで、そのスピーカーＳをスピーカー取付部１ａに簡単に取り付けることができると共に、その取り付けたスピーカーＳによりスピーカー取付部１ａを補強して強度低下を阻止することができる。
【００２９】
しかも、スピーカーＳの口径ｄに合わせて周方向所定間隔をおいて突設された複数の立上り片１０によりスピーカーＳを弾性的に確実に挟持することができると共に、該各立上り片１０の内側面先端に一体形成した膨らみ部１０Ａによりその立上り片１０間に差し込んだスピーカーＳを不測に外れないように確実に係止することができる。
【００３０】
図６は本発明の第２の実施の形態であるスピーカー取付装置８を設けたテレビジョン一体型ＤＶＤを示すものであって、図７及び図８に示すように、立上り片１０がスピーカーＳの口径ｄに合わせて周方向に空隙１９をおいて所定間隔（この実施の形態では９０°）ごとに複数突設され、キャビネット１の肉厚ｔ１を例えば２ｍｍとした場合、スピーカー取付部１ａの肉厚ｔ２を例えば１．５ｍｍ程度に薄くすると共に、キャビネット１の立上り片１０より外側にスピーカー取付部１ａを取り囲むようにして肉厚ｔ３を例えば１．５ｍｍ程度に薄くした環状の薄肉部２０が形成されている。上記以外の構成は図１から図５に示す構成とほぼ同一であるから、同一部分に同一符号を付してその説明を省略する。
【００３１】
前記スピーカーＳをスピーカー取付部１ａに取り付ける場合には、図６及び図９に示すように、スピーカー取付部１ａを外側から一方の手で押圧Ｐすることにより、薄肉部２０及びスピーカー取付部１ａを弾性変形させて立上り片１０間の間隔を広げ（図９実線参照）、他方の手でつかんだスピーカーＳを立上り片１０間に差し込み、押圧Ｐを解除するだけでよい（図９仮想線参照）。
【００３２】
膨らみ部１０Ａ付き立上り片１０を合成樹脂により一体成形する場合の手順は第１の実施の形態とほぼ同じであるから、その説明を省略する。
【００３３】
上記構成によれば、係止爪１０ａが省略されているから、立上り片１０を合成樹脂により成形する際に、前記係止爪１０ａを形成するために従来必要とされていた特殊形状の傾斜ピン１３（図１４参照）が不要であり、これによって、金型構造が簡単になり、製作費を安くすることができ、また、スピーカー取付部１ａの係止爪１０ａに対向する部分に、該係止爪１０ａよりも若干大きい抜き孔１６（図１３参照）を貫設する必要もないから、外観上の体裁が良好である。
【００３４】
更に、弾性変形を阻害する位置決め壁１１（図１３参照）が省略され、スピーカー取付部１ａの肉厚ｔ２を薄くすると共に、立上り片１０より外側にスピーカー取付部１ａを取り囲むようにして肉厚ｔ３を薄くした環状の薄肉部２０が形成されており、従来のようにスピーカー取付部１ａの強度を大きくするのではなく、その強度低下を効果的に利用して、スピーカー取付部１ａを弾性変形させるようになっているから、そのスピーカー取付部１ａを押圧して容易に弾性変形させることができ、その弾性変形により間隔を広げた立上り片１０間にスピーカーＳを差し込むだけで、そのスピーカーＳをスピーカー取付部１ａに簡単に取り付けることができると共に、その取り付けたスピーカーＳによりスピーカー取付部１ａを補強して強度低下を阻止することができる。
【００３５】
しかも、スピーカーＳの口径ｄに合わせて周方向所定間隔をおいて突設された複数の立上り片１０によりスピーカーＳを弾性的に確実に挟持することができると共に、該各立上り片１０の内側面先端に一体形成した膨らみ部１０Ａによりその立上り片１０間に差し込んだスピーカーＳを不測に外れないように確実に係止することができる。
【００３６】
図１０は参考例を示すものであって、立上り片１０を無端環状に突設しており、これによって、無端環状の立上り片１０によりスピーカーＳをその全周から確実に挟持することができる。
【００３７】
上記の実施の形態では、スピーカー取付装置８を設けたテレビジョン一体型ＤＶＤを例にあげて説明したが、これに限定されるわけでなく、単体のテレビジョン受像機やテレビジョンと磁気テープ装置とを一体化した所謂テレビデオなどの各種機器のスピーカー取付装置８に適用することができる。
【００３８】
【発明の効果】
請求項１記載の発明によれば、係止爪が省略されているから、立上り片を合成樹脂により成形する際に、前記係止爪を形成するために従来必要とされていた特殊形状の傾斜ピンが不要であり、これによって、金型構造が簡単になり、製作費を安くすることができ、また、スピーカー取付部の係止爪に対向する部分に、該係止爪よりも若干大きい抜き孔を貫設する必要もないから、外観上の体裁が良好である。
【００３９】
更に、弾性変形を阻害する位置決め壁が省略され、スピーカー取付部の肉厚を薄くすると共に、立上り片より外側にスピーカー取付部を取り囲むようにして環状の薄肉部が形成されており、従来のようにスピーカー取付部の強度を大きくするのではなく、その強度低下を効果的に利用して、スピーカー取付部を弾性変形させるようになっているから、そのスピーカー取付部を押圧して容易に弾性変形させることができ、その弾性変形により間隔を広げた立上り片間にスピーカーを差し込むだけで、そのスピーカーをスピーカー取付部に簡単に取り付けることができると共に、その取り付けたスピーカーによりスピーカー取付部を補強して強度低下を阻止することができる。
【００４０】
しかも、スピーカーの口径に合わせて周方向所定間隔をおいて突設された複数の立上り片によりスピーカーを弾性的に確実に挟持することができると共に、該各立上り片の内側面先端に一体形成した膨らみ部によりその立上り片間に差し込んだスピーカーを不測に外れないように確実に係止することができる。
【００４１】
請求項２記載の発明によれば、係止爪が省略されているから、立上り片を合成樹脂により成形する際に、前記係止爪を形成するために従来必要とされていた特殊形状の傾斜ピンが不要であり、これによって、金型構造が簡単になり、製作費を安くすることができ、また、スピーカー取付部の係止爪に対向する部分に、該係止爪よりも若干大きい抜き孔を貫設する必要もないから、外観上の体裁が良好である。
【００４２】
更に、弾性変形を阻害する位置決め壁が省略され、従来のようにスピーカー取付部の強度を大きくするのではなく、スピーカー取付部だけでなくその外側まで多数の通音孔を貫設することにより、該スピーカー取付部の全体が弾性変形可能に形成されているので、そのスピーカー取付部を押圧して弾性変形させることにより、立上り片間の間隔を容易に広げてスピーカーを確実に差し込むことができる。
【００４３】
要するに、スピーカー取付部の強度低下を効果的に利用して、スピーカー取付部を弾性変形させるようになっているから、その弾性変形により間隔を広げた立上り片間にスピーカーを差し込むだけで、そのスピーカーをスピーカー取付部に簡単に取り付けることができると共に、その取り付けたスピーカーによりスピーカー取付部を補強して強度低下を阻止することができる。
【００４４】
請求項３記載の発明によれば、スピーカー取付部の肉厚を薄くすることにより、該スピーカー取付部が弾性変形可能に形成されているので、そのスピーカー取付部を押圧して弾性変形させることにより、立上り片間の間隔を容易に広げてスピーカーを確実に差し込むことができる。
【００４５】
請求項４記載の発明によれば、立上り片より外側にスピーカー取付部を取り囲むようにして環状の薄肉部が形成されているので、該スピーカー取付部を一層容易に弾性変形させて、立上り片間の間隔を広げることができる。
【００４６】
請求項５記載の発明によれば、立上り片の内側面先端に一体形成した膨らみ部により該立上り片間に差し込んだスピーカーを不測に外れないように確実に係止することができる。
【図面の簡単な説明】
【図１】  本発明の第１の実施の形態であるスピーカー取付装置を設けたテレビジョン一体型ＤＶＤの斜視図である。
【図２】  同スピーカー取付装置の縦断面図である。
【図３】  同スピーカー取付装置の分解斜視図である。
【図４】  同スピーカーの取付手順を示す縦断面図である。
【図５】  （ａ）は同立上り片の成形手順の前半を示す縦断面図、（ｂ）は同成形手順の後半を示す縦断面図である。
【図６】  本発明の第２の実施の形態であるスピーカー取付装置を設けたテレビジョン一体型ＤＶＤの斜視図である。
【図７】  同スピーカー取付装置の縦断面図である。
【図８】  同スピーカー取付装置の分解斜視図である。
【図９】  同スピーカーの取付手順を示す縦断面図である。
【図１０】  参考例を示す要部の分解斜視図である。
【図１１】  従来例を示す斜視図である。
【図１２】  同スピーカー取付装置の縦断面図である。
【図１３】  同スピーカー取付装置の分解斜視図である。
【図１４】  （ａ）は同立上り片の成形手順の前半を示す縦断面図、（ｂ）は同成形手順の後半を示す縦断面図である。
【符号の説明】
１          キャビネット
７ａ，７ｂ  通音孔
８          スピーカー取付装置
１０        立上り片
１０ａ      係止爪
１０Ａ      膨らみ部
１１        位置決め壁
２０        薄肉部
Ｓ          スピーカー
ｄ          スピーカーの口径
ｔ２        スピーカー取付部の肉厚
ｔ３        薄肉部の肉厚
【図１】
0003674033.tif 000002
【図２】
0003674033.tif 000003
【図３】
0003674033.tif 000004
【図４】
0003674033.tif 000005
【図５】
0003674033.tif 000006
【図６】
0003674033.tif 000007
【図７】
0003674033.tif 000008
【図８】
0003674033.tif 000009
【図９】
0003674033.tif 000010
【図１０】
0003674033.tif 000011
【図１１】
0003674033.tif 000012
【図１２】
0003674033.tif 000013
【図１３】
0003674033.tif 000014
【図１４】
0003674033.tif 000015